(57)【要約】      （修正有）【課題】利用者に不安を与えず、かつ利用者のプライバシーが保護できる装飾水槽機能付き自動ドアーを提供する。【解決手段】開閉式自動ドアーにあって、気泡を発生させるエアーコンプレッサー８を設けた装飾用水槽６と、前記装飾用水槽６内を照射するＬＥＤ照明灯７を備えてファッション性の高い演出を可能とする。【選択図】図３
0003135933.tif 000002
【実用新案登録請求の範囲】
【請求項１】
開閉式自動ドアーにあって、
気泡を発生させる手段を設けた装飾用水槽と、
前記装飾用水槽内を照射する手段を備える
ことを特徴とする装飾水槽機能付き自動ドアー。
【請求項２】
前記気泡を発生させる手段としてエアーコンプレッサーを設ける
ことを特徴とする請求項１記載の装飾水槽機能付き自動ドアー。
【請求項３】
前記照射する手段としてＬＥＤ照明灯を設ける
ことを特徴とする請求項１または２記載の装飾水槽機能付き自動ドアー。
【請求項４】
前記装飾用水槽内にシリコンオイルが充填される
ことを特徴とする請求項１、２または３記載の装飾水槽機能付き自動ドアー。
【考案の詳細な説明】
【技術分野】
【０００１】
本発明は、装飾水槽機能付き自動ドアーに関する。詳しくは、気泡を間段なく発生させる装飾水槽を設けたドアーによってプライバシーを保護する装飾水槽機能付き自動ドアーに係るものである。
【背景技術】
【０００２】
ホテルやショッピングセンターなどの出入口には、建物内部が見えることによって利用者が安心できるようにガラス製の自動ドアーを設けているケースが多い。これらの自動ドアーは、ドアー手前でセンサーによって人を検知し、駆動モーターなどによってドアーの開閉を自動的に行うものである。しかし銀行のATMコーナーやプライベートな時を過ごすファンションホテルなどではプライベート保護の観点から上半身が見えないようにガラスドアーにシールを貼付けたり、一部をすりガラス状、あるいは半透明状にして人の顔を判別できないようなドアーを設置していることが多い。
【０００３】
また、ホテルのロビーや展示場におけるパーテーションとして、例えば図５に示すように、架台１０１上にも設けた透明水槽１０２内に腐敗・変色しないシリコンオイル１０３を充填すると共に、この水槽１０２内に空気を噴出させるように、エアブロア１０４、逆止用電磁弁１０５、空気調整弁１０６を架台１０１内に収納し、カラフルな照明灯１０７によって水槽１０２内を照射させることにより見えそうで見えず、インテリア効果のあるパーテーションとして活用されている（特許文献１参照。）。
【０００４】
【特許文献１】実用新案登録第２５３５１１３号公報
【考案の開示】
【考案が解決しようとする課題】
【０００５】
しかしながら上半身が見えないようにガラスドアーの上半分面にシールを貼付けたり、一部をすりガラス状、あるいは半透明状にする場合では、目線上において建物内の状況が判らないために利用客に不安を与えるという問題がある。
【０００６】
また、人の出入りの少ない時間帯などでは建物内を見えなくすると却って、入り難い心理状態となることが懸念される。更に、単にシールを貼り付ける場合では建物との調和が取れず、高級感を出すことができない場合がある。
【０００７】
いっぽう、パーテーションに使用される装飾用水槽では気泡を出させることにより、インテリアとしてその利用価値が認められるものであり、屋内に設置されることが多く、間仕切りや観賞用としての固定式であるためにその用途が限られるという問題がある。
【０００８】
本考案は、以上の点に鑑みて創案されたものであって、利用者に不安を与えず、かつ利用者のプライバシーが保護できる装飾水槽機能付き自動ドアーを提供することを目的とするものである。
【課題を解決するための手段】
【０００９】
上記の目的を達成するために、本考案に係る装飾水槽機能付き自動ドアーは、開閉式自動ドアーにあって、気泡を発生させる手段を設けた装飾用水槽と、前記装飾用水槽内を照射する手段を備える。
【００１０】
ここで、開閉式自動ドアーの一部を装飾用水槽によって形成し、この装飾用水槽内にエアーコンプレッサーによって気泡を発生させる構成とすることにより、例えば建物のロビー内を遮蔽するのではなく、見え難くすることにより閉鎖感を感じることなく建物内に出入りする人のプライバシーを保護することが可能となる。
【００１１】
また、装飾用水槽内を着色されたＬＥＤ照明灯により照射することにより、気泡との相乗効果によりファンション性の高い演出効果を得ることができる。
【００１２】
また、前記気泡の発生および照明を例えば昼間や人の出入りの少ない時間帯には停止させることにより、例えば建物のロビーを建物の外から確認できることで初めての人に安心感を与えることができる。
【考案の効果】
【００１３】
本考案の装飾水槽機能付き自動ドアーによれば、自動ドアーを水槽機能付きとしエアーコンプレッサーによって水槽内に気泡を発生させることによって、建物への人の出入りを見え難くすることによってプライバシーを保護することができる。
【００１４】
また、ＬＥＤ照明灯によって水槽内に色付きの照明を行うことによって幻想的な演出が可能となると共に、人の出入りが少ない時間帯では水槽内での気泡の発生を停止させることにより建物内部が視認することができることから不審者の侵入を防ぐことができる。
【考案を実施するための最良の形態】
【００１５】
以下、本考案の実施の形態を図面を参酌しながら説明し、本考案の理解に供する。
図１に、本考案を適用した装飾水槽機能付き自動ドアーの一例を示す正面図、図２は、図１における平面図、図３は、自動ドアーの内部機構を示す断面説明図である。
【００１６】
ここで示す自動ドアー１は、建物の１階ロビーのエントランスに設けられるものであり、装飾水槽によるエントランス壁体２の両側にそれぞれ配置されるものである。
【００１７】
そこで前記エントランス壁体２は、床面に立設される基台３と天井面に設置される支持部４との間に数枚の装飾水槽パネル５が設置されるものである。この装飾水槽パネル５は、例えば高さ１６６０ｍｍ、横６０８ｍｍ、厚さ４１ｍｍの強体性に優れたアクリル製の装飾用水槽６内にシリコンオイルを主体とした液体が充填されるものである。
【００１８】
そして基台３と支持部４内には前記装飾用水槽６の上下位置から装飾用水槽６内を照射するためのＬＥＤ照明灯７が配置されると共に、前記基台３内にはエアーコンプレッサー８が設けられ、このエアーコンプレッサー８によって装飾用水槽６底部に設けられる噴出穴（図示せず。）より空気を噴出させて装飾用水槽６内全体に気泡を発生させて建物内が見えないような構成とするものである。
【００１９】
次に、前記エントランス壁体２の両側に自動ドアー１がそれぞれ配置されるものであり、この自動ドアー１は、固定ドアー９および可動ドアー１０から構成される片開き式ドアーとする。そこで図３に示すように、前記固定ドアー９は床面１１と天井面のドアー枠部１２との間に設置されるものであり、この固定ドアー９は、床面１１に固定される基台３と天井面１２に固定される支持部４との間に装飾水槽パネル５が設置されるものである。この装飾水槽パネル５は、例えば高さ１６６０ｍｍ、横６０８ｍｍ、厚さ４１ｍｍの強体性に優れたアクリル製の装飾用水槽６内にシリコンオイルを主体とした液体が充填されるものである。
【００２０】
この装飾水槽パネル５は、前記基台３および支持部４内に配置されるＬＥＤ照明灯７によって照射される構成とする。そして前記基台３内にはエアーコンプレッサー８が設けられ、このコンプレッサー８によって装飾用水槽６底部に設けられる噴出穴（図示せず。）より空気を噴出させて装飾用水槽６内全体に気泡を発生させる構成とする。
【００２１】
ここで、装飾用水槽６内に充填されるシリコンオイルの中に、下方から空気を噴出させると、噴出された空気は流動オイルの表面張力の作用で真玉状の空気玉となって装飾用水槽６内をゆっくり上昇する。したがって、シリコンオイルの粘度を変えたり、シリコンオイル内への空気の噴出量を、連続的、間欠的又は量の大小等種々変化させることにより、大小バラエティに富んだ空気玉を、多数垂直状に形成しながら浮遊上昇させることができるので、あたかも空気玉による玉のれん状の装飾水槽パネル５となる。
【００２２】
次に、図４に示すように、可動ドアー１０は、固定ドアー９と同様に床面１１と天井面のドアー枠部１２との間に設置されるものであるが、床面１１面にはレール１３が前記可動ドアー１０の開閉方向に敷設されるとともに、前記ドアー枠部１２の下面には可動ドアー１０の上端が開閉方向に摺動可能とされる溝部１４が形成された構成とするものである。
【００２３】
そこで可動ドアー１０は、床面１１上面のレール１３上を走行する車輪１４が底面に配置される基台３と天井面のドアー枠部１２下面の溝部１４に、その上端が嵌め入れられる支持部４との間に装飾水槽パネル５が設置されるものである。この装飾水槽パネル５は、例えば高さ１６６０ｍｍ、横６０８ｍｍ、厚さ４１ｍｍの強体性に優れたアクリル製の装飾用水槽６内にシリコンオイルを主体とした液体が充填されるものである。
【００２４】
この装飾水槽パネル５は、前記基台３および支持部４内に配置されるＬＥＤ照明灯７によって照射される構成とする。そして前記基台３内にはエアーコンプレッサー８が設けられ、このエアーコンプレッサー８によって装飾用水槽６底部に設けられる噴出穴（図示せず。）より空気を噴出させて装飾用水槽６内全体に気泡を発生させる構成とする。更に、前記支持部４内には電動モーターなどによる駆動部１５が設置され、例えば前記溝部１４内に設けられた平ギヤー（図示せず。）に対して駆動部１５に装着される駆動ギヤー（図示せず。）を歯合させて可動ドアー１０を開閉できる機構とするものである。
【００２５】
なお、前記エアーコンプレッサー８は、エアポンプ（図示せず。）およびヘッダタンク（図示せず。）並びに調整バルブ（図示せず。）等によって構成され、加圧された空気がヘッダタンク内に充填され、このヘッダタンク内より調整バルブによって装飾用水槽６底部に設けられる噴出穴（図示せず。）より各々噴出量が調整された空気が噴出される構成とするものである。
【００２６】
ここで、前記装飾水槽パネル５のアクリル製の装飾用水槽６面に補強用としての強化ガラス板１６が積層された構成とするものである。これにより、強化ガラス板１６による二重構造とされるために、可動ドアー１０が開閉する際の衝撃や人の出入りの際に可動ドアー１０や固定ドアー９に当たるときの衝撃に対して装飾用水槽６が破損することがなく耐えることができる。
【００２７】
また、前記ＬＥＤ照明灯７に使用されるＬＥＤ灯は現在赤色、青色やピンク色など多数の色のものが開発されており、これらのＬＥＤ灯を使用することにより建物の使用目的に応じて演出を行うことが可能となる。
【００２８】
なお、本実施例ではＬＥＤ照明灯において詳述したが、必ずしもＬＥＤ灯である必要性は無く、蛍光灯や白熱灯を使用するものであっても構わない。
【００２９】
更に前記エアーコンプレッサーのＯＮ・ＯＦＦ操作は遠隔より行うことができるような構成とする。
【００３０】
次に、使用方法の一例について詳述する。リモコンなどにより電源スイッチ（図示せず。）を入れてＬＥＤ照明灯７を点灯すると同時にエアーコンプレッサー８を駆動すると、各々噴出量が調整された空気が、装飾用水槽６底部に設けられる噴出穴（図示せず。）より該装飾水槽６内に充填されたシリコンオイル内に噴出される。シリコンオイル内に噴出された空気は、シリコンオイルの表面張力の作用により空気を包み込み、最初は直径約３〜５ｍｍの空気玉が順次発生し、その後にこの空気玉が各部で次々と上の空気玉と合体しながら大きくなり、かつ、スピードを上げて最終的には直径１．５ｃｍの真球状の空気玉となってゆっくりと浮上する。この現象は規則的なものではなく全般的に不規則なものであって、多数独立させて垂直状に設けられた装飾用水槽６内において表現でき、表裏いずれからも観賞できるものとなる。
【００３１】
また、シリコンオイルを着色したり、各色のＬＥＤ照明灯７を点灯又は適宜点滅させることにより、カラフルな状態が醸し出せることになる。
【００３２】
このような装飾水槽パネル５を開閉式の自動ドアーに組み入れることによって、例えばファッションホテルなどでは昼間（特に平日）では人の出入りが非常に少ないために、装飾用水槽６の底部からの空気の噴出を停止させておく、これにより装飾用水槽６内に充填されるシリコンオイルを通して建物内の状況を確認することができると共に、例えば不審者が入っている場合には直ちに発見することができる。
【００３３】
次に、夜間や休日などの人の出入りの多い時間帯では、装飾用水槽６の底部からの空気を噴出させることによって噴出された空気は流動オイルの表面張力の作用で真玉状の空気玉となって間欠することなく装飾用水槽６内をゆっくり上昇することにより、装飾用水槽６を通して建物内に入った人の存在を確認することはできるが、顔の判断をすることはできないために、プラバシーを保護することが可能となる。また、建物内の雰囲気を装飾用水槽６を通して感じ取ることができるために、抵抗なく建物への出入りをすることができる。
【００３４】
また、昼間は装飾用水槽６の底部からの空気の噴出を停止させるとともにＬＥＤ照明灯７による照明も停止させることで、一般的なガラス張りの自動ドアーとして使用することができ、夜間になれば装飾用水槽６の底部からの空気の噴出を行い、かつＬＥＤ照明灯７による照明を行うことにより、真玉状の空気玉にＬＥＤ照明灯７による照射によってカラフルな着色が行われ、非常にファッション性の高い自動ドアーに変わることとなる。
【００３５】
以上の構成よりなる本考案の装飾水槽機能付き自動ドアーでは、前記装飾用水槽６内にエアーコンプレッサー８によって気泡を噴出させることで建物内部を見え難くすることになり、これによりファッションホテルなどではホテルに出入りする者のプライバシーを保護することが可能となる。
【００３６】
また、前記エアーコンプレッサー８による装飾用水槽６内における気泡の発生と共に、ＬＥＤ照明灯７により装飾用水槽６内を赤色、青色などによって照射することにより気泡が着色してファッション性の高い演出が可能となる。
【００３７】
更に、例えばホテルのロビーの壁面を装飾用水槽パネル５と装飾用水槽６により構成される本考案の自動ドアー１によって設置することにより、建物内部から外部の景色等が水槽を通して見ることができことで開放感を演出することができる。いっぽう、外部からは建物内部の状況を確認することができるが、水槽内の気泡によって人の顔までは確認することができないために、建物内の人のプライバシーを保護することが可能となる。
【００３８】
また、人の出入りの少ない時間帯ではエアーコンプレッサー８による気泡の発生やＬＥＤ照明灯７により照射を停止させることによって建物内部が装飾用水槽６を通して見えることになり、心理的に入り難くなり不審者の侵入を防ぐことができる。
【図面の簡単な説明】
【００３９】
【図１】本考案を適用した装飾水槽機能付き自動ドアーの一例を示す正面図である。
【図２】図１における平面説明図である。
【図３】図１における固定ドアーの拡大断面説明図である。
【図４】図１における可動ドアーの拡大断面説明図である。
【図５】従来のパーテーションの一例を示す説明図である。
【符号の説明】
【００４０】
１      自動ドアー
２      エントランス壁体
３      基台
４      支持部
５      装飾用水槽パネル
６      装飾用水槽
７      ＬＥＤ照明灯
８      エアーコンプレッサー
９      固定ドアー
１０    可動ドアー
１１    床面
１２    天井面
１３    レール
１４    溝部
１５    駆動部
１６    強化ガラス板
【図１】
0003135933.tif 000003
【図２】
0003135933.tif 000004
【図３】
0003135933.tif 000005
【図４】
0003135933.tif 000006
【図５】
0003135933.tif 000007